(57)【要約】【課題】  シンプルな構造でありながら、小さな振動に対しても、前後、左右、さらには回動状の揺動など、装飾物に対して様々な態様の揺動を生じさせることができる装飾品を提供すること。【解決手段】  装飾物２０に線状体３０の一端が固定され、線状体３０の他端に基体１０が固定され、線状体３０が装飾物２０の重力荷重によっては屈曲変形を生じない剛性を有するものである装飾品１とする。【選択図】図１
2019063299.tif 000002
【特許請求の範囲】
【請求項１】
線状体の一端に装飾物が固定され、
前記線状体の他端には基体が固定され、
前記線状体が前記装飾物の重力荷重によっては屈曲変形を生じない剛性を有するものであることを特徴とする装飾品。
【請求項２】
前記線状体が形状記憶合金で構成されていることを特徴とする請求項１記載の装飾品。
【請求項３】
前記形状記憶合金が、常温で直線形状を維持するように、直線形状を記憶しているものであることを特徴とする請求項２記載の装飾品。
【請求項４】
前記線状体が、常温において超弾性特性を有する金属で構成されていることを特徴とする請求項１〜３のいずれかの項に記載の装飾品。
【請求項５】
前記装飾物および前記基体の少なくとも一方に、さらに別の線状体及び装飾物が固定されていることを特徴とする請求項１〜４のいずれかの項に記載の装飾品。
【請求項６】
前記基体と前記装飾物との間の前記線状体に、少なくとも１つの装飾物がさらに固定されていることを特徴とする請求項１〜５のいずれかの項に記載の装飾品。
【請求項７】
前記線状体又はその延長線が、前記装飾物の重心位置を通過しないように、前記装飾物が前記線状体に取付けられていることを特徴とする請求項１〜６のいずれかの項に記載の装飾品。
【請求項８】
前記線状体又はその延長線が示す方向が、前記装飾物の重心を起点とする重力のベクトルの方向と一致しないように、前記装飾物が前記線状体に取付けられていることを特徴とする請求項１〜７のいずれかの項に記載の装飾品。
【請求項９】
前記装飾物が錘部を備えていることを特徴とする請求項１〜８のいずれかの項に記載の装飾品。
【請求項１０】
前記錘部が着脱可能であることを特徴とする請求項９記載の装飾品。
【請求項１１】
前記線状体及び前記錘部が前記装飾物の正面側からは見えないように構成されていることを特徴とする請求項９又は請求項１０記載の装飾品。
【請求項１２】
前記基体が前記装飾物の正面側からは見えないように構成されていることを特徴とする請求項１１記載の装飾品。
【請求項１３】
前記線状体の他部材への取付けが、前記線状体を挟持する取付け部材を介して行われていることを特徴とする請求項１〜１２のいずれかの項に記載の装飾品。
【請求項１４】
前記基体に振動を付加する機構が添設されていることを特徴とする請求項１〜１３のいずれかの項に記載の装飾品。
【請求項１５】
前記装飾品が装身具であることを特徴とする請求項１〜１４のいずれかの項に記載の装飾品。
【発明の詳細な説明】
【技術分野】
【０００１】
本発明は、装飾品に関し、より詳細には、宝石等からなる装飾物が宙に浮いたように見えて揺動し、人目を惹き付ける、魅力的な装飾品に関する。
【背景技術】
【０００２】
宝石や金銀等の装飾物は、光を反射することで輝き、見る人を魅了する。そして、装飾物が揺動することで、その輝きに微妙な変化が生じ、さらに美しさが増すため、装飾物が揺動しやすいように構成された装飾品が提案されている。
例えば、宝石に少なくとも１つの貫通孔が形成され、該貫通孔に挿通されると共に装身具本体に連結された連結部を備え、宝石が装身具本体に対して揺動可能に支持された装身具が提案されている（下記の特許文献１）。
【０００３】
また、ダイヤモンド等が揺動するように、ダイヤモンド等を回動可能に２点で支持するフレームが設けられた装身具が提案されている（下記の特許文献２）。
さらには、ダイヤモンド等が揺動するように、ダイヤモンド等を回動可能に２点で支持するフレームが設けられ、該２点が装飾物の重心に対して上方位置になるように、装飾物に錘部を取り付けた装身具が提案されている（下記の特許文献３）。
【０００４】
このほか、装飾物を微妙に揺動させることを目的として、宝石背面と台座との間をコイルばねで連結した装身具、あるいは、宝石背面のＬ字形の支持部上面と台座下部の棒体との間をコイルばねで連結した装身具が提案されている（下記の特許文献４）。
【０００５】
［発明が解決しようとする課題］
上記特許文献１〜４に記載の装身具にあっては、宝石あるいは宝石を保持した装飾物の揺動機構を支持するための台座やフレームを、前記宝石の周囲に必ず設けなければならず、これらが装身具をデザインする上で大きな制限となっており、また装身具の審美的価値を低下させる要因の一つとなっていた。
【０００６】
また、上記特許文献１〜３に記載の装身具にあっては、装飾物が２点で支持されており、２点間を中心とする揺動になり、揺動の動きに限界があった。また、上記特許文献４に記載のコイルばねが用いられている場合には、宝石などと台座との間が密に巻かれたコイルばねで連結されているために、コイルの胴部（巻き線部）の揺れの効果しか得られず、揺動が制限され、十分な揺動効果が得られないという課題があった。
【先行技術文献】
【特許文献】
【０００７】
【特許文献１】特開２００７−６１３３６号
【特許文献２】特許５４２４４３５号
【特許文献３】特許５２７９３２４号
【特許文献４】特開２０１０−４６２１８
【発明の概要】
【課題を解決するための手段及びその効果】
【０００８】
本発明は上記課題に鑑みなされたものであって、装飾物が中空に浮いたように見えた状態で揺動し、装飾物の輝きの変化をより幻想的で、より魅惑的なものとすることができるとともに、デザインの自由度や審美的価値をより一層高めることができる装飾品を提供することを目的としている。
また、シンプルな構造でありながら、小さな振動に対しても、前後、左右、さらには回動状の揺動など、装飾物に対して様々な態様の揺動を生じさせることができる装飾品を提供することを目的としている。
【０００９】
上記目的を達成するために、本発明に係る装飾品（１）は、
線状体の一端に装飾物が固定され、
前記線状体の他端には基体が固定され、
前記線状体が前記装飾物の重力荷重によっては屈曲変形を生じない剛性を有するものであることを特徴としている。
【００１０】
剛性とは、曲げやねじりの力に対する、寸法変化（変形）のしづらさの度合いのことをいい、弾性とは、外力を加えた後に、その外力を取り去ると形状が元に戻る性質のことをいい、弾性変形とは、外力を加えた後に、その外力を取り去ると変形が元に戻る変形をいい、塑性変形とは、外力を加えた後に、その外力を取り去っても変形が元に戻らなくなる変形をいう。
【００１１】
ここで、上記「重力荷重によっては屈曲変形を生じない剛性を有する」とは、弾性変形の範囲のうち、大きな変形を生じさせない範囲の剛性を有するとの意味であり、弾性変形の範囲での変形を利用したものである。
すなわち、「装飾物の重力荷重に対して屈曲変形を生じない剛性を有する」とは、装飾品の振動、取り扱いなどによって前記装飾物が揺動した際にも、前記線状体が折れ曲がるほど大きく変形することはなく、ほぼ元の状態に戻る小さな弾性変形しか生じさせない剛性を有していることを意味している。
【００１２】
剛性は線状体を太くする、あるいは短くするなどで、重力荷重に対して相対的に高めることができ、つまり、線状体が材料的には同じ剛性を有するものであったとしても、太さを太くし、長さを十分に短くすれば、装飾物の重力荷重に対して屈曲変形を生じさせない高い剛性を確保することが可能になる。
【００１３】
上記装飾品（１）によれば、線状体の一端に装飾物が固定され、該装飾物は前記線状体に片持ち状に支持されているだけなので、この装飾物に対する支持状態は極めて不安定なものとなり、装飾品にほんのわずかな振動が伝わっただけでも、前記装飾物は、前後、左右、あるいは回動方向に小刻みに揺動し続けることとなる。
【００１４】
また、前記線状体が前記装飾物の重力荷重によっては屈曲変形を生じない剛性を有するものであるので、鉛直方向に配置した前記線状体の上部に前記装飾物を配置することもでき、あるいは、水平方向に配置した前記線状体の先端部に前記装飾物を配置することもでき、さらには、鉛直方向、水平方向を除くどのような斜め方向に配置された前記線状体の先端部にも前記装飾物を配置することができる。このため、鉛直方向下方にぶら下げたように前記装飾物を配置する場合に比べ、上記配置を実施すれば、前記装飾物に対する支持状態を不安定なものとすることができ、装飾品にほんのわずかな振動が伝わっただけでも、装飾物は、前後、左右、あるいは回動方向に小刻みに揺動し続けることとなる。
【００１５】
また、前記線状体を視認容易でないほどに細く設定することにより、前記装飾物があたかも宙に浮いたように見せることもでき、人々に驚きを与える、幻想的で、魅惑的な装飾物の輝きを演出することができる。
【００１６】
また、本発明に係る装飾品（２）は、上記装飾品（１）において、前記線状体が形状記憶合金で構成されたものであることを特徴としている。
【００１７】
上記装飾品（２）によれば、前記線状体が形状記憶合金で構成されたものであるので、望みの形状の線状体を安定的に供給することができ、前記装飾物の望みの揺動状況を安定的に実現することができる。
【００１８】
また、本発明に係る装飾品（３）は、上記装飾品（２）において、前記形状記憶合金が、常温で直線形状を維持するように、直線形状を記憶したものであることを特徴としている。
【００１９】
上記装飾品（３）によれば、前記形状記憶合金が、直線形状を記憶したものであるので、直線形状の線状体を安定的に供給することができ、前記装飾物の想定された揺動状況を安定的に実現することができる。また、前記基体と前記装飾物をつなぐ前記線状体の長さを最も短くすることができ、前記線状体が視認されにくく、前記装飾物があたかも宙に浮いたように見せることが容易になる。
【００２０】
また、本発明に係る装飾品（４）は、上記装飾品（１）〜（３）のいずれかにおいて、前記線状体が、常温において超弾性特性を有する金属で構成されたものであることを特徴としている。
【００２１】
上記装飾品（４）によれば、前記線状体が、常温において超弾性特性を有する金属で構成されたものであるので、前記線状体をより一層細いもので構成することができ、装飾品にほんのわずかな振動が伝わっただけでも、装飾物が、前後、左右、あるいは回動方向に小刻みに揺動し続けるものとすることができる。
また、前記線状体を視認容易でないほどに細くすることが容易となり、前記装飾物が宙に浮いたように見せることが容易となり、人々に驚きを与える、幻想的で、魅惑的な装飾物の輝きを演出することが容易となる。
【００２２】
また、本発明に係る装飾品（５）は、上記装飾品（１）〜（４）のいずれかにおいて、前記装飾物および前記基体の少なくとも一方に、さらに別の線状体及び装飾物が固定されていることを特徴としている。
【００２３】
上記装飾品（５）によれば、複数の前記装飾物を宙に浮いたように見せることが可能となり、人目をより引き、人々に驚きを与える、幻想的で、魅惑的な装飾物の動きを演出することが容易となる。
【００２４】
また、本発明に係る装飾品（６）は、上記装飾品（１）〜（５）のいずれかにおいて、前記基体と前記装飾物との間の前記線状体に、少なくとも１つの装飾物がさらに固定されていることを特徴としている。
【００２５】
上記装飾品（６）によれば、前記線状体に、複数の装飾物が固定されるため、複数の前記装飾物が宙に浮いたように見せることが容易となり、人目をより引き、人々に驚きを与える、幻想的で、魅惑的な装飾物の動きを演出することが容易となる。
【００２６】
また、本発明に係る装飾品（７）は、上記装飾品（１）〜（６）のいずれかにおいて、前記線状体又はその延長線が、前記装飾物の重心位置を通過しないように、前記装飾物が前記線状体に取付けられたものであることを特徴としている。
【００２７】
上記装飾品（７）によれば、前記線状体又はその延長線が、前記装飾物の重心位置を通過しないように、前記装飾物が前記線状体に取付けられたものであるので、前記線状体の前記装飾物に対する支持状態をより一層不安定なものとすることができ、装飾品にほんのわずかな振動が伝わっただけでも、装飾物は、前後、左右、あるいは回動方向に小刻みに揺動し、この揺動が永く維持されるものとなる。
【００２８】
また、本発明に係る装飾品（８）は、上記装飾品（１）〜（７）のいずれかにおいて、前記線状体又はその延長線が示す方向が、前記装飾物の重心を起点とする重力のベクトル方向と一致しないように、前記装飾物が前記線状体に取付けられていることを特徴としている。
【００２９】
上記装飾品（８）によれば、前記線状体又はその延長線が示す方向が、前記装飾物の重心を起点とする重力のベクトル方向と一致しないように、前記装飾物が前記線状体に取付けられているので、前記線状体の前記装飾物に対する支持状態をより一層不安定なものとすることができ、装飾品にほんのわずかな振動が伝わっただけでも、装飾物は、前後、左右、あるいは回動方向に小刻みに揺動し、この揺動が永く維持されるものとなる。
【００３０】
また、本発明に係る装飾品（９）は、上記装飾品（１）〜（８）のいずれかにおいて、前記装飾物が錘部を備えたものであることを特徴としている。
【００３１】
上記装飾品（９）によれば、前記装飾物が錘部を備えたものであるので、該錘部の取付け位置を調整することにより、前記装飾物の正面方向に対する向きや前記装飾体の動きを調整することができ、正面に位置する看者に対し、より適切な方向からの揺動を見せることができるようになるとともに、前記装飾物の揺動の振幅や周期を任意に調整するができる。このため、装飾物の審美的価値をより一層高めることができる。
【００３２】
また、本発明に係る装飾品（１０）は、上記装飾品（９）において、前記錘部が着脱可能であることを特徴としている。
【００３３】
上記装飾品（１０）によれば、前記装飾品（９）の効果をより大きなものにすることができる。すなわち、前記錘部が着脱可能であるので、前記装飾物の正面方向に対する向きを装着者の好みに応じて、自由に変えることが可能となる。さらには、前記装飾物の特性や好みに応じて、前記錘部を取付けたり、外したりと、前記装飾物の揺動の状況を容易に調整することができる。また、前記錘部の形状や重量を変えることで、さまざまな揺動状況を実現することができる。
【００３４】
また、本発明に係る装飾品（１１）は、上記装飾品（９）又は（１０）において、前記線状体及び前記錘部が前記装飾物の正面側からは見えないように構成されていることを特徴としている。
【００３５】
上記装飾品（１１）によれば、前記線状体及び前記錘部が前記装飾物の正面側からは見えないように構成されているので、正面に位置する看者に対し、前記基体が静止しているにもかかわらず、前記装飾物のみが不思議に揺動しているように見せることができるため、装飾品の審美的価値をより一層高めることができる。
【００３６】
また、本発明に係る装飾品（１２）は、上記装飾品（１１）において、前記基体が前記装飾物の正面側からは見えないように構成されていることを特徴としている。
【００３７】
上記装飾品（１２）によれば、前記線状体、前記錘部のみならず前記基体までもが前記装飾物の正面側からは見えないので、正面に位置する看者に対し、前記装飾物のみが不思議に揺動しているように見せることができ、装飾品の審美的価値をより一層高めることができる。
【００３８】
また、本発明に係る装飾品（１３）は、上記装飾品（１）〜（１２）のいずれかにおいて、前記線状体の他部材への取付けが、前記線状体を挟持する取付け部材を介して行われていることを特徴としている。
【００３９】
上記装飾品（１３）によれば、前記線状体の他部材への取付けが、前記線状体を挟持する取付け部材を介して行われているため、前記線状体を屈曲させることなく、また強固に前記他部材へ取付けることができる。
【００４０】
また、本発明に係る装飾品（１４）は、上記装飾品（１）〜（１３）のいずれかにおいて、前記基体に振動を付加する機構が添設されていることを特徴としている。
【００４１】
上記装飾品（１４）によれば、前記基体に振動を付加する機構が添設されているので、揺動を長期間に渡り永続的に継続させることができ、前記装飾品を人目によりつきやすくし、また審美的価値をより一層高めることができる。
【００４２】
また、本発明に係る装飾品（１５）は、上記装飾品（１）〜（１４）のいずれかにおいて、前記装飾品が装身具であることを特徴としている。
【００４３】
上記装飾品（１５）によれば、宝石や特殊ガラス、貴金属などを前記装飾物とする前記装身具とすることで、正面に位置する看者に対し、前記装飾物が中空に浮いて不思議に揺動している装身具に見せることができ、該装身具を人目につきやすい、また審美的価値の高いものとすることができる。
【００４４】
ここで、本発明に用いられている「線状体」は、断面形状が丸形、角形などの他、断面形状が長方形の厚さの薄い帯状の線状体や、また中空形状の線状体や、さらにはコイル形状で構成されているが、全体が線状として視認できるものであってもよい。また、線状体には、塗装、染色、メッキ、樹脂コーテング、疲労限度の向上を目的とした表面処理などが施されていてもよい。
【００４５】
線状体の材質は弾性材、形状記憶合金、超弾性特性を有する合金であることが望ましい。
弾性材としては、弾性特性を示す材質からなる線状体であれば、特に限定されるものではなく、たとえば、SUS316の真直線、抗張力鋼線であるピアノ線、もしくはアモルファス線あるいは純鉄等のウィスカー（ひげ結晶）、バネ材としてよく用いられるリン青銅などを挙げることができる。
また、形状記憶合金および超弾性特性を有する合金としては、ニッケル−チタン系合金、銅−亜鉛系合金などを挙げることができる。
さらには、超弾性特性を有する合金としては、株式会社豊田中央研究所が製造・販売している、無転位塑性変形機構による多機能新合金（基本合金組成：Ti-25mol%（Ta+Nb+V）-（Zr,Hf）-O、商品名：ゴムメタル）などの新規素材も含まれる。
【００４６】
線状体の線径は、周囲から視認されにくいという条件からすれば、直径３００μｍ以下が好ましく、直径１００μｍ以下であることがより好ましい。一方、周囲から視認されても問題が無い場合には、線状体の線径には特に制限は無い。
【００４７】
本発明で言う装飾品は、揺動することで装飾品としての価値を増すものであれば、材質やデザインなどが特に限定されるものではない。また、揺動することで装飾的価値が高まる、表示や看板、掲示なども含まれる。
また、車内インテリアや室内インテリアの他に、日用装飾品も含まれる。たとえば、自然の花を透明樹脂板に内包し、線状体に固定することで揺動可能とし、パソコンや冷蔵庫、携帯電話のカバーなどに取り付け、風が吹くとあたかも自然の花が中空を舞っているかの如く構成することで、装飾品としての価値を高めることができる。また、宝石や特殊ガラスを装飾物として、バッグや携帯電話などにつけるチャームとして楽しむこともできる。
【００４８】
本発明における装飾品を装身具に適用した場合は、宝石や特殊ガラス材あるいは貴金属などに細工を施した装飾物を様々な態様で揺動可能にし、宝石や特殊ガラス材、貴金属などが中空に浮いて揺動しているように見せることができるため、審美性が高められた装身具を提供することができる。装身具は、ネックレス、ブローチ、指輪、ピアス、イヤリング、ブレスレット等、如何なるものであってもよい。
【図面の簡単な説明】
【００４９】
【図１】本発明の第１の実施の形態に係る、装飾物が線状体の上部に配置された装身具を示す正面図である。
【図２】第１の実施の形態に係る装身具を示す部分断面側面図である。
【図３】第１の実施の形態に係る装身具を示す背面図である。
【図４】第２の実施の形態に係る、線状体が水平方向に配置された装身具を示す正面図である。
【図５】第３の実施の形態に係る、線状体が斜め方向に配置された装身具を示す正面図である。
【図６】第４の実施の形態に係る、錘部を備えた装飾物が線状体の上部に配置された装身具を示す部分断面側面図である。
【図７】第５の実施の形態に係る、錘部を備えた装飾物が線状体の下部に配置された装身具を示す部分断面側面図である。
【図８】（ａ）は第６の実施の形態に係る、線状体及び基体が装飾品の正面側からは見えないように構成された装身具を示す正面図、（ｂ）は部分断面側面図である。
【図９】本発明の第７の実施の形態に係る、複数の装飾物が取付けられた装身具を示す部分断面側面図である。
【図１０】（ａ）は第８の実施の形態に係る、線状体が取付け部材を介して他部材に取付けられた装身具を示す正面図、（ｂ）は部分断面側面図である。
【図１１】（ａ）は第９の実施の形態に係る、線状体が取付け部材を介して他部材に取付けられた装身具を示す正面図、（ｂ）は部分断面側面図である。
【図１２】（ａ）は第１０の実施の形態に係る、錘部を備えた装飾物が線状体に取付け部材を介して他部材に取付けられた装身具を示す正面図、（ｂ）は部分断面側面図である。
【図１３】（ａ）は第１１の実施の形態に係る、装飾物が水平方向に配置された線状体に取付け部材を介して他部材に取付けられた装身具を示す正面図、（ｂ）は部分断面側面図である。
【図１４】（ａ）は第１２の実施の形態に係る、装飾物が水平方向に配置された線状体に取付け部材を介して他部材に取付けられ、線状体及び基体が装飾品の正面側からは見えないように構成された装身具を示す正面図、（ｂ）は部分断面側面図である。
【図１５】第１３の実施の形態に係る、複数の装飾物がそれぞれ複数の線状体に取付けられた装飾品を示す正面図である。
【発明を実施するための形態】
【００５０】
以下、本発明に係る装飾品の実施の形態を図面に基づいて説明する。なお、以下に説明する実施の形態は、本発明に関する好適な一例を示すものであり、本発明を各実施の形態に限定することを意図するものではない。例えば、各実施の形態において開示する装飾品の形状等は、好適な一例を示すに過ぎず、その他の形状の如何なる可能性をも否定するものでは全くない。
【００５１】
本発明に係る装飾品は、宝石や貴金属等に細工を施した装飾物を様々な態様で揺動可能にし、正面に位置する看者から見ると特に審美性が高められた装飾品を提供することができるものである。装飾物は、ネックレス、ブローチ、指輪、ピアス、イヤリング、ブレスレット等、あるいはカーアクセサリー等、如何なる装飾品にも適用可能である。
【００５２】
本発明を構成する重要な要素は、装飾物と線状体と基体とで構成される装飾品の態様にある。また、以下の説明では、装飾品を服装あるいは身に付けるためのクリップ、ピンなどの留め具、鎖等の付属物については特に図示せず、また説明も行わないが、それらの付属物も装飾品に含まれるものとする。
【００５３】
図１は、第１の実施の形態に係る装飾品１を示す正面図である。装飾品１は、リング形状をした基体１０と、装飾物本体２０ａ及び保持手段２０ｂとで構成された装飾物２０と、線状体３０とを含んで構成されている。
【００５４】
装飾物本体２０ａを構成するダイヤモンド、ルビーなどの宝石類は光の入射、反射を良好に確保するため、石座などの保持手段２０ｂに固定・保持される場合が多い。本実施の形態ではそのような保持手段２０ｂを含めて装飾物２０と記す。
【００５５】
基体１０の下部内側には、線状体３０の一端が固定され、この線状体３０の他端上端部に装飾物２０が固定されており、基体１０と装飾物２０との間には、装飾物２０の揺動を確保する空間が形成されている。また、基体１０の上部外側には鎖などの付属物を取付けるための取付け部１０ａが形成されている。基体１０の形状は図示したリング形状に何ら限定されるものではなく、花模様等装飾性の高いデザインを採用してもよく、装飾物２０を安定的に支持でき、装飾物２０の揺動を確保する空間が形成されているものであればどのような形状のものであっても差し支えない。
【００５６】
図２は、装飾品１を示す部分断面側面図である。図２に示したように、線状体３０の延長線が、装飾物２０の重心位置Ｇを通過しないように、装飾物２０が線状体３０に取付けられている。この様に線状体３０の延長線と、装飾物２０の重心位置Ｇとの関係を設定することにより、延長線が重心位置Ｇを通過する場合に比べて、線状体３０の装飾物２０に対する支持状態をより不安定なものとすることができる。このため、装飾品１にほんのわずかな振動が伝わっただけでも、装飾物２０は、前後、左右、あるいは回動方向に小刻みに揺動し、この揺動が永く維持されるものとなる。
【００５７】
また、図２に示した状態よりも、より一層重心位置Ｇを線状体３０の後方にずらした状態で装飾物２０を線状体３０に取付けると、装飾物２０に作用している重力が装飾物２０の正面に関して上向きに回動させる力となって作用する。このため、ブローチなど正面に位置する看者の目線よりも装飾物２０の位置が通常下方にある場合には、装飾物２０の向きを正面上向きに調整できることとなり、正面に位置する看者に対し、より適切な方向からの揺動を見せることができるようになり、装飾物２０の審美的価値をより一層高めることができる。
【００５８】
また、装飾物２０をイヤリングなど身体の高い位置に身に付けるものに適用する場合には、上記したように重心位置Ｇを線状体３０の後方にずらした状態で装飾物２０を線状体３０に取付ける必要はなく、線状体３０の延長線が、装飾物２０の重心位置Ｇを通過するように取付けてもよい。この様に線状体３０の延長線が、装飾物２０の重心位置Ｇを通過するように設定することにより、前後、左右方向に関する揺動は少し減少するかもしれないが、回動方向に関する揺動は多くすることができる。このため、審美性を高めるうえでより望ましい回動方向の揺動が永く維持されるものとすることができる。
【００５９】
線状体３０は、装飾物２０の重力荷重によっては屈曲変形を生じない剛性を有するものであり、かつ装飾品１の振動により、装飾物２０に最大限の揺動を生じさせることができるものであることが好ましい。
線状体３０は、例えば、小型の装置のばね材料としてよく用いられている炭素鋼（ピアノ線）、ステンレス鋼、チタン合金、銅合金などで構成される。線状体３０の径（太さ）、帯状体とした場合の断面の幅、厚さなどは、それぞれの金属材料の剛性、弾性などの特性を考慮して適宜選択することが好ましい。
【００６０】
線状体３０を構成する材料の一つとして、チタン合金で形成された、常温で直線形状を維持するように、直線形状を記憶した形状記憶合金を挙げることができる。形状記憶合金を常温において超弾性特性を有しているものとし、さらに極めて細いもので線状体３０を構成することができる。このため、装飾品１にほんのわずかな振動が伝わっただけでも、装飾物２０が、前後、左右、あるいは回動方向に小刻みに揺動し続けることとなる。
また、線状体２０を視認容易でないほどに細くすることも容易となり、装飾物２０が宙に浮いたように見せることも可能となり、人々に驚きを与える、幻想的で、魅惑的な装飾物２０の輝きを演出することができる。
また、常温で直線形状を維持するように、直線形状を記憶した形状記憶合金を使用することにより、直線形状の線状体３０を安定的に供給することができ、装飾物２０の想定された揺動状況を安定的に実現することができることとなる。また、線状体３０の形成が容易となり、装飾品１の製造を容易なものとすることができる。
【００６１】
線状体３０と基体１０との固定は、両者が金属材料で構成されている場合にはろう付けが望ましく、あるいは樹脂系の接着剤を使用してもよい。この場合、両者の固定をより堅固なものとするために、基体１０に線状体３０を通せる孔１０bを設けておき、この孔１０bに線状体３０を通し、線状体３０を基体１０の内周面に巻き付けて固定してもよい。
線状体３０と装飾物２０との固定は、装飾物２０の保持手段２０ｂが金属製のものである場合には、ろう付けが望ましい。線状体３０と装飾物２０との固定にも、基体１０との場合と同様に、保持手段２０ｂに、線状体３０を通せる孔（図示せず）を設けておき、この孔に線状体３０を通すことにより、両者の固定をより堅固なものとすることができる。
【００６２】
図４は、第２の実施の形態に係る装飾品２を示す正面図である。装飾品２は、リング形状をした基体１０と、装飾物本体２０ａ及び保持手段２０ｂとで構成された装飾物２０と、線状体３０とを含んで構成されている点は、上記した第１の実施の形態に係る装飾品１の場合と同様であるが、線状体３０が垂直方向ではなく水平方向に配置されて基体１０の内側側面に取付けられている点が相違している。
【００６３】
この様に、線状体３０又はその延長線が示す方向が、装飾物２０の重心を起点とする重力のベクトル方向と一致しないように、装飾物２０が線状体３０に取付けられることにより、線状体３０の装飾物２０に対する支持状態をより一層不安定なものとすることができる。従って、装飾品２にほんのわずかな振動が伝わっただけでも、装飾物２０は、前後、左右、あるいは回動方向に小刻みに揺動し、この揺動が永く維持されるものとなる。
【００６４】
図５は、第３の実施の形態に係る装飾品３を示す正面図である。装飾品３は、リング形状をした基体１０と、装飾物本体２０ａ及び保持手段２０ｂとで構成された装飾物２０と、線状体３０とを含んで構成されている点は、上記した第１の実施の形態に係る装飾品１の場合と同様であるが、線状体３０が垂直方向でも水平方向でもなく、斜め方向に配置されて基体１０の内側側面に取付けられている点が相違している。
【００６５】
この様に、線状体３０又はその延長線が示す方向が、装飾物２０の重心を起点とする重力のベクトル方向と一致しないように、装飾物２０が線状体３０に取付けられることにより、線状体３０の装飾物２０に対する支持状態をより一層不安定なものとすることができる。従って、装飾品３にほんのわずかな振動が伝わっただけでも、装飾物２０は、前後、左右、あるいは回動方向に小刻みに揺動し、この揺動が永く維持されるものとなる。
【００６６】
図６は、第４の実施の形態に係る装飾品４を示す部分断面側面図である。装飾品４は、リング形状をした基体１０と、装飾物本体２０ａ及び保持手段２０ｂとで構成された装飾物２０と、線状体３０とを含んで構成されている点は、上記した第１の実施の形態に係る装飾品１の場合と同様であるが、装飾物２０が着脱可能な錘部２０cを備えたものである点が相違している。
【００６７】
図６に示した装飾品４の場合、線状体３０の上部に装飾物２０が配置されており、この装飾物２０の保持手段２０ｂの後端部近傍に錘部２０cが配置されている。このため、この錘部２０cにより、装飾物２０には、装飾物２０の正面側を上向きに回動させるモーメントが作用し、装飾物２０の向きを正面上向きに調整できることとなる。従って、ブローチなど正面に位置する看者の目線よりも装飾物２０が通常下方に位置する場合には、正面に位置する看者に対し、より適切な方向からの揺動を見せることができるようになり、装飾物２０の審美的価値をより一層高めることができることとなる。また、装飾物２０の揺動状態を調節することもできる。
【００６８】
また、錘部２０cをネオジム製の磁石などで構成すれば、金属製の保持手段２０ｂに対して着脱自在の構成とすることができる。装飾物２０をイヤリングなど身体の高い位置で身に付けるものに適用する場合には、錘部２０cを外して使用することも可能である。この様に、装飾物２０の重心位置Ｇを線状体３０の後方にずらした状態にする必要のない場合には、錘部２０cを外して使用することにより、正面に位置する看者に対し、より適切な方向からの揺動を見せることができるようにもなり、装飾物２０の審美的価値をより一層高めることができることとなる。
【００６９】
図７は、第５の実施の形態に係る装飾品５を示す部分断面側面図である。装飾品５は、リング形状をした基体１０と、装飾物本体２０ａ及び保持手段２０ｂとで構成された装飾物２０と、線状体３０とを含んで構成されている点は、上記した第１の実施の形態に係る装飾品１の場合と同様であるが、装飾物２０が着脱可能な錘部２０cを備えている点、装飾物２０が線状体３０の上端部ではなく、下端部に配置されている点が相違している。
【００７０】
図７に示した装飾品５の場合、線状体３０の下端部に装飾物２０が配置されており、この装飾物２０の保持手段２０ｂの後端部近傍に錘部２０cが配置されている。このため、この錘部２０cにより、装飾物２０には、装飾物２０の正面側を上向きに回動させるモーメントが作用し、装飾物２０の向きを正面上向きに調整できることとなる。従って、ブローチなど正面に位置する看者の目線よりも装飾物２０が通常下方位置にある場合には、正面に位置する看者に対し、より適切な方向からの揺動を見せることができるようになり、装飾物２０の審美的価値をより一層高めることができることとなる。
【００７１】
また、錘部２０cは保持手段２０ｂに対し、着脱可能な構成となっているので、装飾物２０をイヤリングなど身体の高い位置で身に付けるものに適用する場合には、錘部２０cを外して使用することも可能である。この様に、装飾物２０の重心位置Ｇを線状体３０の後方に大きくずらした状態にする必要のない場合には、錘部２０cを外して使用することにより、正面に位置する看者に対し、より適切な方向からの揺動を見せることができるようにもなり、装飾物２０の審美的価値をより一層高めることができることとなる。また、装飾物２０の揺動状態を調節することもできる。
【００７２】
図８（ａ）は第６の実施の形態に係る装飾品６を示す正面図、図８（ｂ）は部分断面側面図である。本実施の形態に係る装飾品６は、リング形状をした基体１０Ａと、装飾物本体２０ａ及び保持手段２０ｂとで構成された装飾物２０と、線状体３０Ａとを含んで構成されている点は、上記した第１の実施の形態に係る装飾品１の場合と同様である。装飾物２０が着脱可能な錘部２０cを備え、線状体３０Ａ、錘部２０ｃ及び基体１０Ａが装飾物２０の正面側からは見えないように構成されている点が第１の実施の形態に係る装飾品１と相違している。
【００７３】
装飾品６の場合、基体１０Ａの外形が、装飾物２０の外形よりも小さな大きさに設定され、線状体３０Ａも短く設定され、線状体３０Ａ、錘部２０ｃ及び基体１０Ａ（取付け部１０ａを含む）が装飾物２０の後方に隠れ、装飾物２０の正面側からは見えない構造となっている。このため、正面に位置する看者に対し、装飾物２０のみが宙に浮き、不思議に揺動しているように見せることができるので、装飾品６の審美的価値をより一層高めることができる。
【００７４】
図９は、第７の実施の形態に係る装飾品７を示す部分断面側面図である。
装飾品７では、装飾物２０の上方に線状体３０を介してさらに装飾物２０が配置されている点が第１の実施の形態に係る装飾品１と相違している。
装飾品７によれば、複数の装飾物２０が宙に浮いたように見せることが可能となり、人目をより引き、人々に驚きを与える、幻想的で、魅惑的な装飾物の動きを演出することが容易となる。
【００７５】
図１０（ａ）（ｂ）は、第８の実施の形態に係る装飾品８を示す正面図及び部分断面側面図である。装飾品８は、リング形状をした基体１０と、装飾物本体２０ａ及び保持手段２０ｂとで構成された装飾物２０と、線状体３０とを含んで構成されている点は、上記した第１の実施の形態に係る装飾品１の場合と同様であるが、線状体３０が垂直方向ではなく、装飾物本体２０ａの後方へ水平方向に配置されて基体１０に取付けられている点が相違している。
【００７６】
また、線状体３０の基体１０及び保持手段２０ｂへの取付けが、線状体３０を挟持する取付け部材６０を介して行われている点も相違している。
取付け部材６０は、線状体３０の固定治具であり、線状体固定部６０ａとハブ部６０ｂとから構成され、線状体３０は、二つの線状体固定部６０ａに挟持され、接着剤等で固定されるとともに、保持手段２０ｂと基体１０に固定されている。
【００７７】
装飾品８によれば、線状体３０の他部材への取付けが、線状体３０を挟持する取付け部材６０を介して行われているため、線状体３０を屈曲させることなく、また強固に保持手段２０ｂと基体１０に取付けることができる。
取付け部１０ａをつければ、ピアス、イヤリング、ブローチなど様々な装身具を製作することができる。
また、基体１０の裏面に強力な両面テープなどをつけて、直接耳たぶに貼りつけてピアスとして使用することもできる。さらには、基体１０に磁性体を張り付けて、磁石で耳たぶを挟むようにして、ピアスとして使用することもできる。
【００７８】
また、装飾品８では、線状体３０又はその延長線が示す方向が、装飾物２０の重心を起点とする重力のベクトル方向と一致しないように、装飾物２０が線状体３０に取付けられているので、線状体３０の装飾物２０に対する支持状態をより一層不安定なものとすることができる。従って、装飾品８にほんのわずかな振動が伝わっただけでも、装飾物２０は、前後、左右、あるいは回動方向に小刻みに揺動し、この揺動が永く維持されるものとなる。
【００７９】
また、装飾品８では、線状体３０が装飾品８の正面側からは見えないため、正面に位置する看者に対し、基体１０は静止しているのに、装飾物２０のみが宙に浮き、不思議に揺動しているように見せることができ、装飾品８の審美的価値をより一層高めることができる。
【００８０】
図１１（ａ）（ｂ）は、第９の実施の形態に係る装飾品９を示す正面図及び部分断面側面図である。装飾品９が、第１の実施形態に係る装飾品１と相違している点は、装飾物が特殊ガラス材を用いたドーム型装飾物本体２０ｄで構成され、そのため保持手段も装飾品１の保持手段２０ｂと相違して、平板状の保持手段２０ｅで構成されている点である。
このため、線状体３０の取付け手段も装飾品１の場合とは異なり、平板状の保持手段２０ｅへの取付けには、平板状の線状体固定部６０ｃが用いられ、接着剤で固定され、基体１０への取付けには、線状体固定円環６０ｅが用いられ、線状体固定円環６０ｅは、基体１０後部との間に、線状体３０の下端部を挟持するように配置され、接着剤等を用いて基体１０に固定されている。
装飾品９は、上記した装飾品１と同様の効果を有している。
【００８１】
図１２（ａ）（ｂ）は、第１０の実施の形態に係る装飾品９Ａを示す正面図及び部分断面側面図である。装飾品９Ａが、上記した第９の実施形態に係る装飾品９と相違している点は、装飾物２０Ｂが着脱可能な錘部２０cを備えたものである点である。
そのため、装飾品９Ａは、図６に示した上記装飾品４と同様の効果を有している。
【００８２】
図１３（ａ）（ｂ）は、第１１の実施の形態に係る装飾品９Ｂを示す正面図及び部分断面側面図である。装飾品９Ｂが、上記した第１０の実施形態に係る装飾品９Ａと相違している点は、線状体３０が装飾物２０Ｂの後方へ水平方向に配置されている点である。
そのため、装飾品９Ｂは、図１０に示した上記装飾品８と同様の効果を有している。
【００８３】
図１４（ａ）（ｂ）は、第１２の実施の形態に係る装飾品９Ｃを示す正面図及び部分断面側面図である。装飾品９Ｃが、上記した第１１の実施形態に係る装飾品９Ｂと相違している点は、基体１０Ａが装飾物２０Ｂの正面側からは見えないように構成されている点である。
そのため、装飾品９Ｃは、図８に示した上記装飾品６と同様の効果を有している。
【００８４】
図１５は、第１３の実施の形態に係る装飾品１００を示す正面図である。装飾品１００は、基体１０Ｂと、装飾物２０Ｃ、線状体３０及び支持部４０、４１とを含んで構成されている。
線状体３０の下端部は基体１０Ｂと線状体固定板（図示せず）に挟持され、接着剤等で固定されている。他方、線状体３０の上端部は、装飾物２０Ｃと線状体固定板（図示せず）に挟持され、接着剤で固定されている。基体１０Ｂには支持部４０が固定され、支持部４０は支持部４１に接続されている。支持部４１は装飾品１００を支持できるものならどのような形態のものであっても差し支えなく、支持台のような形態、吸盤状の形態、磁石を用いた吸着形態、あるいはペンやマウスコードなどを挟むＵ字型のプラスティック成型物形態であってもよい。
【００８５】
線状体３０と基体１０Ｂあるいは装飾物２０Ｃとは、各々線状体固定板に挟持され、接着剤等で固定されているが、固定は必ずしもこの方法によらなくても良い。たとえば、ロウ付け、はんだ付け、溶接、あるいは線状体固定板を用いない接着剤だけによる固定であっても良い。
但し、線状体３０が直径１００μｍ以下の場合は、上記したように線状体固定板で挟持し、接着剤で固定する方法が簡便で、かつ確実に接着の強度を確保することができる。
【００８６】
装飾物２０Ｃは、線状体３０に線状体固定板で固定された片持ち構造になっているため、この装飾物２０Ｃに対する支持状態は極めて不安定なものとなり、装飾品１００にほんのわずかな振動が伝わっただけでも、装飾品１００に加えられた外力や振動が、線状体３０で増幅されて装飾物２０Ｃに伝達され、装飾物２０Ｃは、前後、左右、あるいは回動方向に小刻みに揺動し続けることとなる。
【符号の説明】
【００８７】
１、２、３、４、５、６、７、８、９、９Ａ、９Ｂ、９Ｃ、１００  装飾品
１０、１０Ａ、１０Ｂ  基体
１０ａ  取付け部
１０ｂ  孔
２０、２０Ａ、２０Ｂ、２０Ｃ    装飾物
２０ａ、２０ｄ  装飾物本体
２０ｂ、２０ｅ  保持手段
２０ｃ  錘部
３０、３０Ａ    線状体
６０    取付け部材
６０ａ、６０ｃ  線状体固定部
６０ｂ  ハブ部
６０ｅ  線状体固定円環
【図１】
2019063299.tif 000003
【図２】
2019063299.tif 000004
【図３】
2019063299.tif 000005
【図４】
2019063299.tif 000006
【図５】
2019063299.tif 000007
【図６】
2019063299.tif 000008
【図７】
2019063299.tif 000009
【図８】
2019063299.tif 000010
【図９】
2019063299.tif 000011
【図１０】
2019063299.tif 000012
【図１１】
2019063299.tif 000013
【図１２】
2019063299.tif 000014
【図１３】
2019063299.tif 000015
【図１４】
2019063299.tif 000016
【図１５】
2019063299.tif 000017
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
線状体の一端に装飾物が固定され、前記線状体の他端には基体が固定され、前記線状体が前記装飾体の重力荷重によっては屈曲変形を生じない剛性を有し、かつ、常温において超弾性特性を有する形状記憶合金で構成され、前記形状記憶合金が、常温で直線形状を維持するように、直線形状を記憶しているものであることを特徴とする装飾品。
【請求項２】
前記装飾物および前記基体の少なくとも一方に、さらに別の線状体及び装飾物が固定されていることを特徴とする請求項１記載の装飾品。
【請求項３】
前記基体と前記装飾物との間の前記線状体に、少なくとも１つの装飾物がさらに固定されていることを特徴とする請求項１〜２のいずれかの項に記載の装飾品。
【請求項４】
前記装飾物が着脱可能な錘部を備えていることを特徴とする請求項１〜３のいずれかの項に記載の装飾品。
【請求項５】
前記線状体、前記錘部及び前記基体が前記装飾物の正面側からは見えないように構成されていることを特徴とする請求項４記載の装飾品。
【請求項６】
前記基体に振動を付加する機構が添設されていることを特徴とする請求項１〜５のいずれかの項に記載の装飾品。
【請求項７】
線状体の一端に装飾物が固定され、前記線状体の他端には基体が固定され、前記線状体が前記装飾体の重力荷重によっては屈曲変形を生じない剛性を有し、かつ、常温において超弾性特性を有する形状記憶合金で構成され、前記形状記憶合金が、常温で直線形状を維持するように、直線形状を記憶しており、前記基体に振動を付加する機構が添設されているものであることを特徴とする装飾品。
【請求項８】
前記装飾物および前記基体の少なくとも一方に、さらに別の線状体及び装飾物が固定されていることを特徴とする請求項７記載の装飾品。
【請求項９】
前記基体と前記装飾物との間の前記線状体に、少なくとも１つの装飾物がさらに固定されていることを特徴とする請求項７〜８のいずれかの項に記載の装飾品。
【請求項１０】
前記装飾物が着脱可能な錘部を備えていることを特徴とする請求項７〜９のいずれかの項に記載の装飾品。
【請求項１１】
前記基体が前記装飾物の正面側からは見えないように構成されていることを特徴とする請求項７〜１０のいずれかの項に記載の装飾品。
【手続補正書】
【提出日】平成31年2月8日(2019.2.8)
【手続補正１】
【補正対象書類名】明細書
【補正対象項目名】００４４
【補正方法】削除
【補正の内容】